(57)【要約】【課題】上ガイドレールで案内されるローラー構造の振止めランナーを備えている引戸において、戸パネルを閉じ位置において確実に保持固定できるキャッチ構造を提供する。【解決手段】上ガイドレール２の側端に隣接してキャッチ構造を設ける。キャッチ構造は、ラッチ４９と、ラッチばね５０と、これら両者を収容するラッチケース４８とで構成する。戸パネル４・５の上部に、上ガイドレール２で移行案内される振止めランナー７を設ける。振止めランナー７は、ローラー２５と、ローラーばね２６と、これらを収容するハウジング２２などで構成する。ハウジング２２には、戸パネル４・５の上端面に接合する捕捉座３０を設け、捕捉座３０にラッチ４９と係合するキャッチ穴７３を形成する。以て、ラッチ４９をキャッチ穴７３に係合させて、戸パネル４・５を閉じ位置に保持固定する。【選択図】図１
2010084380.tif 000002
【特許請求の範囲】
【請求項１】
戸パネル（４・５）の上部に、上ガイドレール（２）で移行案内される振止めランナー（７）が設けられており、
上ガイドレール（２）の側端に隣接して、戸パネル（４・５）を閉じ位置において保持固定するキャッチ構造が設けられており、
振止めランナー（７）は、上ガイドレール（２）で受け止められるローラー（２５）と、ローラー（２５）を上ガイドレール（２）へ向かって付勢するローラーばね（２６）と、これらの部材を収容するハウジング（２２）とを含み、
ハウジング（２２）は、戸パネル（４・５）の装着穴に嵌め込まれる本体部（２８）と、戸パネル（４・５）の上端面に接合される捕捉座（３０）とを一体に備えており、
キャッチ構造は、上ガイドレール（２）用のレール装着溝（１）の側端に固定されるラッチケース（４８）と、ラッチケース（４８）内に収容されるラッチ（４９）と、ラッチ（４９）をラッチケース（４８）の下面下方へ向かって付勢するラッチばね（５０）とを含み、
ハウジング（２２）の捕捉座（３０）に、ラッチ（４９）と係合するキャッチ穴（７３）が形成してあることを特徴とする引戸用のキャッチ構造。
【請求項２】
ローラー（２５）を遊転自在に軸支するローラー枠（２３）が、ハウジング（２２）に設けたガイド区画（３１）で上下スライド自在に案内支持されて、ローラーばね（２６）で押し上げ付勢されており、
ガイド区画（３１）の上開口に臨んで左右一対の捕捉座（３０）が張り出し形成されており、
左右の捕捉座（３０）のそれぞれにキャッチ穴（７３）が形成してある請求項１に記載の引戸用のキャッチ構造。
【請求項３】
ローラー枠（２３）とハウジング（２２）との間に、ハウジング（２２）内の格納位置に退入操作されたローラー枠（２３）を、ローラーばね（２６）の付勢力に抗して進出不能にロック保持するロック構造が設けられており、
ロック構造が、ローラー枠（２３）で左右スライド自在に支持される左右一対のロック爪（３８）と、両ロック爪（３８）をロックする向きへ付勢するロックばね（３９）と、ロック爪（３８）と係合してローラー枠（２３）の上方進出を阻止するハウジング（２２）の係合部（４０）と、ロックばね（３９）の付勢力に抗して両ロック爪（３８）をロック解除操作するロック解除片（４１）とで構成されている請求項２記載の引戸用のキャッチ構造。
【請求項４】
キャッチ穴（７３）が、貫通穴（７４）と貫通穴（７４）へ向かって下り傾斜する誘導面（７５）とで形成されており、
ラッチ（４９）の下面に設けたラッチ爪（７１）が誘導面（７５）と接当した状態において、戸パネル（４・５）をラッチ（４９）の押圧力の分力で閉じ位置側へ押し付け保持できる請求項２または３に記載の引戸用のキャッチ構造。
【請求項５】
ラッチケース（４８）が、ラッチ（４９）およびラッチばね（５０）を収容する区室（５４）を備えたケース本体（５１）と、ケース本体（５１）に差し込み係合されて区室（５４）の上開口、および側面開口を塞ぐ蓋体（５２）とで構成されており、
蓋体（５２）は、区室（５４）の上開口を塞ぐ上壁（６２）と、側面開口を塞ぐ側壁（６３）とで断面Ｌ字状に形成されて、上壁（６２）の内面でラッチばね（５０）の上端が受け止められており、
区室（５４）の前後壁の上部には、蓋体（５２）の上壁（６２）に設けた複数個のスライド突起（６６）が差し込み係合される装着溝（５６）と、装着溝（５６）の中途部複数箇所から前後壁の上端にわたって形成される装填開口（５７）とを備えており、
ラッチ（４９）およびラッチばね（５０）を区室（５４）に収容し、ラッチばね（５０）の上端を上壁（６２）で受け止めた状態で、スライド突起（６６）を装填開口（５７）から装着溝（５６）内に位置させ、蓋体（５２）の全体を装着溝（５６）に沿って押し込み装着して、蓋体（５２）がケース本体（５１）に分離不能に固定してある請求項２から４のいずれかに記載の引戸用のキャッチ構造。
【発明の詳細な説明】
【技術分野】
【０００１】
本発明は、引戸における戸パネルを閉じ端において保持固定するキャッチ構造に関する。本発明のキャッチ構造は、例えば収納家具の収納室の前面開口を開閉する引戸に適用される。
【背景技術】
【０００２】
この種のキャッチ構造は、例えば特許文献１に公知である。そこでは、戸パネルの後面上部に埋設固定されるハウジングと、ハウジングで出没自在に案内支持されるスライドブロックと、スライドブロックを押し上げ付勢するばねと、スライドブロックをハウジング内の格納位置でロック保持するロック構造などで振止めランナーを構成している。キャッチ構造は、上ガイドレールの側端に配置されるケースと、一端がケースに固定される板ばねとで構成してあり、スライドブロックの上端面に形成した湾曲凹部を板ばねで抑え保持することにより、戸パネルの跳ね返りを防止し、さらに閉じ操作された戸パネルを保持固定できる。
【０００３】
上記のロック構造は、戸パネルの組み付けを容易化するために設けてある。詳しくは、スライドブロックを格納位置にロックした状態で、戸パネルを上下のガイドレールの間に組み込んで起立させ、ロック構造をロック解除操作することによりスライドブロックを上ガイドレールのレール溝内に嵌め込むことができる。なお、板ばねを捕捉要素とするキャッチ構造は特許文献２にも開示されている。
【０００４】
本発明のキャッチ構造においては、上ガイドレールの側に設けたラッチをハウジングに設けた受け凹部に係合させて、戸パネルを閉じ端において位置保持するが、このようにラッチを捕捉要素とするキャッチ構造は特許文献３に公知である。そこでは、戸パネルの側にラッチ構造を設け、鴨居の案内溝の内部に制動付与体を固定している。
【０００５】
ラッチ構造は、戸パネルに埋設固定されるハウジングと、ハウジングで出没自在に案内支持されるラッチ体と、ラッチ体を押し上げ付勢するばねなどで構成してある。制動付与体の下面には、ラッチ体に摩擦抵抗を生じさせる傾斜面と、ラッチ体を進入係合させるためのラッチ溝が形成してある。なお、戸パネルは、その上端が鴨居に設けた案内溝で直接案内支持されており、したがって、振止めランナーに相当する構造は備えていない。また、ラッチ体で戸パネルの前後方向の振れを規制する構造とはなっていない。
【０００６】
【特許文献１】特開平０８−０８２１５２号公報（段落番号００２９、図１）
【特許文献２】特開平１０−１９６２０４号公報（段落番号０００８、図１）
【特許文献３】特開２００１−１７３３０９号公報（段落番号００２２、図１）
【発明の開示】
【発明が解決しようとする課題】
【０００７】
特許文献１のキャッチ構造によれば、スライドブロックに設けた湾曲凹部を板ばねで抑え保持して、戸パネルを閉じ位置に保持固定し、あるいは戸パネルが跳ね返るのを防止できる。しかし、スライドブロックを上ガイドレールで移行案内するので、戸パネルを開閉するとき耳障りな摺擦音が発生するのを避けられない。また、スライドブロックの摩擦抵抗に打勝つ力で戸パネルを開閉しなければならず、とくに、サイズが大きな戸パネルにおいて、軽快に戸パネルを開閉することができず、開閉動作が鈍重になりやすい。
【０００８】
本発明者等は、戸パネルの開閉操作をより軽快なものとするために、スライドブロックの代わりにローラーを備えた振止めランナーで振れ止めを行なうようにした。そこでは、図１に示すように、ローラー枠に固定したローラー軸でローラーを回転自在に軸支し、ローラー枠をハウジングで出没自在に案内支持し、さらにローラーばねで押し上げ付勢するようにした。また、ローラー枠をロック構造でハウジング内の格納位置でロック保持できるようにした。このような、ローラー構造の振止めランナーによれば、耳障りな摺擦音の発生を防止でき、より軽快に戸パネルを開閉できることとなった。
【０００９】
しかし、ローラー構造の振止めランナーにおいては、図４に示すように逆Ｖ字状のレール溝を備えた上ガイドレールでローラーを振れ止め案内する関係で、上ガイドレールの側にキャッチ構造を設けるためのスペースを確保するのが難しく、当然、既存のキャッチ構造を利用して振止めランナーを保持固定することはできない。こうした事情から、従来は戸パネルの閉じ端側を磁石の吸着力によって保持固定しているが、磁石を利用したキャッチ構造は機械的に係合する形態のキャッチ構造に比べてコストが高く付く。
【００１０】
そこで本発明者等は、ハウジングに対して出没でき、ばねで押し上げ付勢されるローラーを利用してキャッチ構造を構成することを試みた。具体的には、上ガイドレールの側にキャッチ凹部を設けておき、戸パネルを閉じた状態においてローラーをキャッチ凹部に落とし込み係合させて、戸パネルを閉じ位置に保持固定できるようにした。しかし、ローラー枠を押し上げ操作するばねの付勢力が小さいため、戸パネルが勢いよく開閉されるような場合に、戸パネルの跳ね返りを阻止できないなど、戸パネルを確実に保持固定できないことが判明した。ローラー枠を押し上げ付勢するばねの張力を強化することはできるが、そうすると、ローラー枠を格納位置に押し下げるときの操作力が過剰に大きくなるのを避けられず、戸パネルを開口枠へ組み込むときの施工性との関係で、ばねの張力を強化することは断念した。
【００１１】
本発明は、上記のような状況の許に提案されたものであって、ローラー構造の振止めランナーを備えている戸パネルを閉じ位置において確実に保持固定できるキャッチ構造を得ること、同時に磁石を利用したキャッチ構造に比べて低コストの引戸用のキャッチ構造を得ることを主たる目的とする。本発明の目的は、戸パネルや開口枠に新たな加工を施す必要もなく、振止めランナーやキャッチ構造を組み付けることができ、したがって、新規なキャッチ構造を備えている引戸の全体コストを削減することにある。
【課題を解決するための手段】
【００１２】
本発明においては、戸パネル４・５の上部に、上ガイドレール２で移行案内される振止めランナー７を設け、上ガイドレール２の側端に隣接して、戸パネル４・５を閉じ位置において保持固定するキャッチ構造を設ける。振止めランナー７は、上ガイドレール２で受け止められるローラー２５と、ローラー２５を上ガイドレール２へ向かって付勢するローラーばね２６と、これらの部材を収容するハウジング２２とを含む。ハウジング２２は、戸パネル４・５の装着穴に嵌め込まれる本体部２８と、戸パネル４・５の上端面に接合される捕捉座３０とを一体に備えている。キャッチ構造は、上ガイドレール２用のレール装着溝１の側端に固定されるラッチケース４８と、ラッチケース４８内に収容されるラッチ４９と、ラッチ４９をラッチケース４８の下面下方へ向かって付勢するラッチばね５０とを含む。ハウジング２２の捕捉座３０には、ラッチ４９と係合するキャッチ穴７３を形成する。
【００１３】
ローラー２５を遊転自在に軸支するローラー枠２３が、ハウジング２２に設けたガイド区画３１で上下スライド自在に案内支持されて、ローラーばね２６で押し上げ付勢してある。ガイド区画３１の上開口に臨んで左右一対の捕捉座３０を張り出し形成し、左右の捕捉座３０のそれぞれにキャッチ穴７３を形成する。
【００１４】
ローラー枠２３とハウジング２２との間に、ハウジング２２内の格納位置に退入操作されたローラー枠２３を、ローラーばね２６の付勢力に抗して進出不能にロック保持するロック構造を設ける。ロック構造は、ローラー枠２３で左右スライド自在に支持される左右一対のロック爪３８と、両ロック爪３８をロックする向きへ付勢するロックばね３９と、ロック爪３８と係合してローラー枠２３の上方進出を阻止するハウジング２２の係合部４０と、ロックばね３９の付勢力に抗して両ロック爪３８をロック解除操作するロック解除片４１とで構成する。
【００１５】
キャッチ穴７３は、貫通穴７４と貫通穴７４へ向かって下り傾斜する誘導面７５とで形成する。ラッチ４９の下面に設けたラッチ爪７１が誘導面７５と接当する状態において、戸パネル４・５をラッチ４９の押圧力の分力で閉じ位置側へ押し付け保持する。
【００１６】
ラッチケース４８は、ラッチ４９およびラッチばね５０を収容する区室５４を備えたケース本体５１と、ケース本体５１に差し込み係合されて区室５４の上開口、および側面開口を塞ぐ蓋体５２とで構成する。蓋体５２は、区室５４の上開口を塞ぐ上壁６２と、側面開口を塞ぐ側壁６３とで断面Ｌ字状に形成されて、上壁６２の内面でラッチばね５０の上端を受け止めらる。区室５４の前後壁の上部には、蓋体５２の上壁６２に設けた複数個のスライド突起６６が差し込み係合される装着溝５６と、装着溝５６の中途部複数箇所から前後壁の上端にわたって形成される装填開口５７とを備えている。ラッチ４９およびラッチばね５０を区室５４に収容し、ラッチばね５０の上端を上壁６２で受け止めた状態で、スライド突起６６を装填開口５７から装着溝５６内に位置させ、蓋体５２の全体を装着溝５６に沿って押し込み装着して、蓋体５２がケース本体５１に分離不能に固定する。
【発明の効果】
【００１７】
本発明においては、ローラー構造の振止めランナー７を上ガイドレール２で振れ止め案内して、戸パネル４・５の開閉操作をより軽快に行なえるようにした。振止めランナー７は、ローラー２５、ローラーばね２６、およびこれらの部材を収容するハウジング２２などで構成した。また、上ガイドレール２の側端に隣接してキャッチ構造を設け、そのラッチ４９をハウジング２２の捕捉座３０に設けたキャッチ穴７３に係合させて、戸パネル４・５を閉じ位置において保持固定できるようにした。
【００１８】
上記のように、本発明のキャッチ構造においては、ハウジング２２の捕捉座３０に設けたキャッチ穴７３にラッチ４９を係合させて、戸パネル４・５を閉じ位置において保持固定するので、使用者の明確な意図を持って戸パネル４・５を開放操作しない限りは、戸パネル４・５を閉じ状態のままで確実に保持固定できる。また、閉じ端において戸パネル４・５が跳ね返ろうとするのを、ラッチ４９と捕捉座３０との摩擦抵抗によって防止できる。キャッチ構造のラッチ４９と、捕捉座３０に設けたキャッチ穴７３との機械的な係合構造によって、戸パネル４・５を閉じ位置に保持固定するので、磁石の吸着力を利用したキャッチ構造に比べて、キャッチ構造の製作コストを削減し低コスト化できる。ハウジング２２に付加した捕捉座３０にキャッチ穴７３を設け、ラッチ４９を備えたキャッチ構造をレール装填溝１に装着するので、戸パネル４・５や天板などに新たな穴加工や溝加工などを施す必要もなく、振止めランナー７やキャッチ構造を組み付けることができ、したがって、新規なキャッチ構造を備えている引戸であるにもかかわらず、全体コストを削減できる。
【００１９】
ローラー枠２３が組み込まれるガイド区画３１の上開口に臨んで左右一対の捕捉座３０を張り出し形成し、左右の捕捉座３０のそれぞれにキャッチ穴７３を形成するキャッチ構造によれば、振止めランナー７を戸パネル４・５の左右の勝手違いとは無関係に共通して使用できる。したがって、複数個の戸パネル４・５を備えた引戸において、振止めランナー７およびキャッチ構造を共用して、その分だけ引戸の全体コストを削減できる。
【００２０】
ローラー枠２３をロック構造でハウジング２２内の格納位置にロック保持できるようにした振止めランナー７によれば、施工現場における戸パネル４・５の組み込みを簡便に行なえる。また、左右一対のロック爪３８とロックばね３９、およびロック解除片４１などでロック構造を構成し、両ロック爪３８をハウジング２２に設けた係合部４０に係合させてローラー枠２３を格納位置にロック保持するロック構造によれば、ロックばね３９の付勢力によって両ロック爪３８のロック状態を安定した状態で保持し続けることができる。したがって、例えばローラー枠２３を格納位置にロック保持した状態で戸パネル４・５の組み込みを行なうような場合に、戸パネル４・５が他物と衝突するような場合であっても、衝突衝撃によって両ロック爪３８がロック解除状態に切り換わるのを防止できる。また、必要時には、ロック解除片４１を互いに接近する向きへ移動操作するだけで、両ロック爪３８を簡便にロック解除状態に切り換えて、ローラー２５を上ガイドレール２のレール溝２０に嵌め込むことができる。
【００２１】
貫通穴７４と、貫通穴７４へ向かって下り傾斜する誘導面７５とでキャッチ穴７３を形成し、ラッチ爪７１が誘導面７５と接当する状態において、戸パネル４・５をラッチ４９の押圧力の分力で閉じ位置側へ押し付け保持できるようにすると、外部の振動や衝撃によって戸パネル４・５が開放方向へ移動するのを確実に防止して、閉じ状態を維持し続けることができる。また、戸パネル４・５を開放操作する場合には、傾斜する誘導面７５でラッチ爪７１を押し上げて、キャッチ穴７３をラッチ爪７３から円滑に離脱できるので、開放初期の解放操作力をより小さなものとして、戸パネル４・５を軽快に開閉できる。
【００２２】
ケース本体５１と蓋体５２とでラッチケース４８を構成し、区室５４内にラッチ４９およびラッチばね５０を収容した状態で、蓋体５２をケース本体５１の装填開口５７から装着溝５６内に嵌み、さらに蓋体５２の全体を装着溝５６に沿って押し込み装着して、蓋体５２をケース本体５１に固定するキャッチ構造によれば、各構成部品の組立をより少ない手間で簡単に行なえる。また、蓋体５２をケース本体５１に固定するのと同時に、ラッチばね５０を蓋体５２で適正に受け止め保持できるので、例えばビスなどの締結具で蓋体５２を固定する場合に比べて、キャッチ構造の全体コストを削減できる。
【発明を実施するための最良の形態】
【００２３】
（実施例）  図１ないし図１１は本発明に係る引戸用のキャッチ構造を、食器棚の前面開口を開閉する引戸に適用した実施例を示す。図２および図３において引戸は、収納室の天板に設けたレール装填溝１に嵌め込み装着される上ガイドレール２と、収納室の底壁に固定される下ガイドレール３と、これら両ガイドレール２、３で引き違い開閉可能に案内される左右一対の戸パネル４・５などで構成する。収納室の両側端には、閉じ端において戸パネル４・５を受け止める縦枠６が設けてある。各戸パネル４・５の上部内面の左右には、上ガイドレール２で移行案内される振止めランナー７・７が設けられており、戸パネル４・５の下部内面の左右には、下ガイドレール３で移行案内されるランナーユニット８・８が設けてある。なお、この実施例における前後・左右は、図２および図３に示す矢印および前後・左右の文字表示に従うこととする。
【００２４】
図３および図４において下ガイドレール３はアルミニウム条材からなり、その上面の前後に各戸パネル４・５のランナーユニット８・８を案内する断面字状のレール溝１０が形成してある。ランナーユニット８は、戸パネル４・５の装着穴に嵌め込まれるハウジング１２と、ハウジング１２で上下動可能に支持されるローラー枠１３と、ローラー枠１３に固定した軸１４で遊転自在に軸支されるローラー１５と、ローラー枠１３に固定される高さ調整ねじ１６と、高さ調整ねじ１６に噛み合う調整ダイヤル１７などで構成する。ハウジング１２の後面に張り出した締結座１８をビスで締結することにより、ランナーユニット８が戸パネル４・５に固定してある。ローラー１５の前後周縁には、レール溝１０で受け止められるタイヤ面１５ａが面取り面状に斜めに形成してある。
【００２５】
上ガイドレール２は断面が逆Ｍ字状のアルミニウム条材からなり、その下面側に逆Ｖ字状のレール溝２０が形成してある。振止めランナー７は、戸パネル４・５に固定されるハウジング２２と、ハウジング２２で上下動可能に支持されるローラー枠２３と、ローラー枠２３に固定した軸２４で遊転自在に軸支されるローラー２５と、ローラー枠２３を上ガイドレール２へ向かって押し上げ付勢する左右一対のローラーばね２６と、ハウジング２２内の格納位置に退入操作されたローラー枠２３をロック保持するロック構造などで構成する。戸パネル４・５の上端面には、ブラシ状のシール材２７が設けてある。
【００２６】
ハウジング２２は、戸パネル４・５の装着穴４ａ・５ａ（図５参照）に嵌め込まれる本体部２８と、装着穴の開口周縁壁に接合される締結座２９と、戸パネル４・５の上端面に接合される捕捉座３０とを一体に備えている。なお、図５に示すように、後述するキャッチ構造で捕捉されない側の振止めランナー７のハウジング２２においては捕捉座３０が省略してある。本体部２８には、ローラー枠２３を上下スライド自在に案内するガイド区画３１が形成され、その内部にローラー枠２３、ローラーばね２６、およびロック構造などが組み込んである。ガイド区画３１の上面および後面はそれぞれ開口してある。締結座２９は、下隅部分が丸められた横長四角形状の面壁からなり、その上端に連続して左右一対の捕捉座３０がガイド区画３１の上開口に臨む状態で張り出してある。
【００２７】
ローラー枠２３は、上向きに開口する四角形状の枠体からなり、その前面に抜止め突起３３が突設され、後面に操作突起３４が突設してある。ガイド区画３１の前壁には、抜止め突起３３の上下移動を許すスライド溝３５が開口してあり、スライド溝３５の上端で抜止め突起３３を受け止めることにより、ローラー枠２３がガイド区画３１から抜け出るのを防止している。ローラー２５は、その大半の部分がローラー枠２３の内部に収容され、上部周面のみが枠外に露出する状態で軸支してある。ローラー２５の前後周縁には、レール溝２０で受け止められるタイヤ面２５ａが面取り面状に斜めに形成してある。ローラーばね２６は圧縮コイル形のばねからなり、ガイド区画３１の底壁とローラー枠２３の底壁との間に配置してある。
【００２８】
ロック構造は、ローラー枠２３で左右スライド自在に支持される左右一対のロック爪３８・３８と、両ロック爪３８をロックする向きへ付勢するロックばね３９と、ロック爪３８と係合してローラー枠２３の上方進出を阻止する係合部４０と、ロックばね３９の付勢力に抗して両ロック爪３８をロック解除操作するロック解除片４１などで構成する。係合部４０は、本体部２８の下半部の両側に切り欠き形成してある（図１参照）。ロック爪３８とロック解除片４１は一体に形成してあり、ロック解除片４１のみがローラー枠２３の後面側に露出させてある（図４参照）。本体部２８を装着穴５ａ（４ａ）に嵌め込んだ状態で締結座２９を２個のビス３７で締結することにより、振止めランナー７が各戸パネル４・５と一体化される。
【００２９】
図６に示すように、ローラー枠２３が進出位置にあるとき、左右のロック解除片４１は、ガイド区画３１の後面に設けたガイド開口４３の対向面で受け止められて、左右のロック爪３８が外側方へ移動するのを規制している。ローラー枠２３が図８に示す格納位置へ押し下げ操作された状態では、左右のロック解除片４１がガイド開口４３より広幅のロック開口４４で受け止められる。そのため、左右のロック爪３８は互いに逆向きに横移動して係合部４０と係合し、ローラー枠２３をローラーばね２６の付勢力に抗して格納位置に位置保持する。この状態でランナーユニット８を下ガイドレール３に組み、戸パネル４・５の上端を上ガイドレール２と正対させた状態で、ロック解除片４１を互いに接近する向きに操作することにより、ロック爪３８をロック解除状態にして、振止めランナー７のローラー２５をレール溝２０に嵌め込むことができる。
【００３０】
戸パネル４・５を上下のガイドレール２・３で移行案内する状態においては、ランナーユニット８のローラー１５のタイヤ面１５ａが、戸パネル４・５の重量を受けて下ガイドレール３のレール溝１０に密着する。しかも、振止めランナー７のローラー２５のタイヤ面２５ａが、ローラーばね２６の付勢力によって上ガイドレール２のレール溝２０に密着する状態で転動する。したがって、従来のスライドブロックを振れ止め要素とする振止めランナーに比べて、摺擦音の発生を伴なうこともなく、しかも摩擦抵抗を軽減した状態で軽快に戸パネルを開閉できる。上下のローラー２５・１５のそれぞれが、Ｖ字状のレール溝２０・１０に密着した状態で転がるので、戸パネル４・５を前後方向へのがたつきを規制しながら静粛に開閉できる。
【００３１】
上ガイドレール２の側端に隣接して、戸パネル４・５を閉じ位置において保持固定するためのキャッチ構造が設けてある。図９に示すように前面側に位置する戸パネル５を保持固定するキャッチ構造は、前側のレール装填溝１の右端に配置され、他端側にはダミーキャップ４６が装着される。後面側に位置する戸パネル４を保持固定するキャッチ構造は、後側のレール装填溝１の左端に配置され、他端側にはダミーキャップ４６が装着される。
【００３２】
図１２においてキャッチ構造は、レール装着溝１の側端に固定されるラッチケース４８と、ラッチケース４８内に収容されるラッチ４９と、ラッチ４９をラッチケース４８の下面下方へ向かって付勢するラッチばね５０などで構成する。図１０に示すようにラッチケース４８は、ケース本体５１と、ケース本体５１に差し込み係合される蓋体５２とで構成する。ケース本体５１には、区室５４と締結ボス５５とが形成してあり、区室５４の内部にラッチ４９とラッチばね５０が収容される。区室５４の前後壁の上部には、蓋体５２を組み付けるための装着溝５６と、装着溝５６の中途部２箇所から前後壁の上端にわたって形成される装填開口５７とが形成してある。また、区室５４の底壁にはラッチ４９を出没させる窓５８と、蓋体５２と係合する係合穴５９が形成してある。装着溝５６は、区室５４の側面開口から区室５４の内奥端にわたって直線状に形成する。
【００３３】
蓋体５２は、区室５４の上開口を塞ぐ上壁６２と、区室５４の側面開口を塞ぐ側壁６３とで断面Ｌ字状に形成してあり、上壁６２の内面にラッチばね５０の上端を受け止めるばね受座６４と、ばね受突起６５とが形成してある。上壁６２の前後側面の左右２個所には、先の装填開口５７に対応してスライド突起６６が突設してあり、側壁６３の下端面には係合穴５９に落とし込み係合する係合爪６７が形成してある。ラッチ４９およびラッチばね５０を区室５４に収容し、さらにラッチばね５０の上端をばね受座６５で受け止めた状態で、スライド突起６６を装填開口５７から装着溝５６内に位置させ、蓋体５２の全体を装着溝５６に沿って押し込み装着し係合爪６７を係合穴５９に係合させることにより、蓋体５２をケース本体５１に対して分離不能に固定できる。各パーツが組み付けられたラッチケース４８をレール装着溝１の側端に嵌め込み、その締結ボス５５に挿通したビス７６を天板にねじ込むことにより、ラッチケース４８が上ガイドレール２に隣接する状態で固定される。
【００３４】
ラッチ４９は、四角形状のベース７０の下面にラッチ爪７１を突設して形成してあり、ラッチ爪７１には捕捉座３０への乗り上がりを円滑化するガイド面７２が斜めに傾斜する状態で形成してある。ラッチ４９のラッチ爪７１を受け止め係合するために、ハウジング２２の左右の捕捉座３０にキャッチ穴７３が形成してある。キャッチ穴７３は、四角形状の貫通穴７４と、図１において捕捉座３０の閉じ端側の上面から貫通穴７４へ向かって左下がり傾斜する誘導面７５とで形成してある。先に説明したガイド面７２は、誘導面７５とは逆向きに左上がり傾斜している。
【００３５】
以上のように構成したキャッチ構造によれば、戸パネル４・５が閉じ端へ向かって閉じ操作されるとき、ラッチ４９は図１２に示すようにラッチケース４８の下面に突出した状態で待機している。このときのラッチ爪７１の下端は、戸パネル４・５の上端面と僅かな隙間を隔てて対向している。戸パネル４・５がさらに閉じ端側へ接近すると、捕捉座３０の側端がガイド面７２に接当して、ラッチ４９をラッチばね５０の付勢力に抗して押し上げ操作する。その結果、ラッチ爪７１の突端が捕捉座３０の上面に乗り上がる。
【００３６】
戸パネル５（または４）が縦枠６で受け止められた状態においては、図１に示すようにラッチ爪７１の突端が誘導面７５に落ち込み係合する。この状態では、誘導面７５に作用するラッチ爪７１の押し下げ力の分力によって捕捉座３０が閉じ位置側へ押される。つまり戸パネル５（または４）はラッチ４９の押圧力の分力を受けて閉じ位置へ向かって押し付け保持される。したがって、戸パネル５を閉じ位置において確実に保持固定できるうえ、戸パネル５が縦枠６に衝突して跳ね返るのをラッチ４９の制動作用によって規制できる。
【００３７】
ハウジング２２の本体部２８が嵌め込まれる装着穴４ａ・５ａは、スライドブロックを振れ止め要素とする従来の振止めランナー用の装着穴をそのまま利用することができる。また、レール装着溝１も同様に従来のままで、その内部にラッチケース４８を装着することができる。したがって、戸パネル４・５や天板などに新たな加工を施す必要もなく、振止めランナー７やキャッチ構造を組み付けることができ、したがって、新規なキャッチ構造を備えているにもかかわらず引戸の全体コストを削減できる。
【００３８】
上記の実施例以外に、キャッチ穴７３の形状や構造は、ラッチ４９の形状や構造に応じて変更すべきであるので、実施例で説明した形状および構造には限定しない。誘導面７５は省略してもよいが、その場合にはキャッチ穴７３の開口縁を丸めて、ラッチ爪７１のキャッチ穴７３に対する係脱を円滑化するとよい。捕捉座３０は、ハウジング２２の上面の左右いずれか一方に設けてあればよい。ローラー２５の構造は、上ガイドレール２のレール溝２０の断面形状に応じて変更すべきであるので、実施例で説明したローラー構造には限定しない。
【００３９】
本発明のキャッチ構造は、食器棚以外の収納家具用の引戸に適用することができる。また、屋内で使用される引戸に適用することができる。
【図面の簡単な説明】
【００４０】
【図１】キャッチ構造を示す縦断正面図である。
【図２】引戸の正面図である。
【図３】引戸の縦断側面図である。
【図４】図２におけるＡ−Ａ線断面図である。
【図５】振止めランナーおよび戸パネルを後面側から見た斜視図である。
【図６】振止めランナーの背面図である。
【図７】図６におけるＢ−Ｂ線断面図である。
【図８】ローラー枠を格納した状態の振止めランナーの一部破断背面図である。
【図９】上ガイドレールとキャッチ構造の分解斜視図である。
【図１０】キャッチ構造の分解断面図である。
【図１１】図１におけるＣ−Ｃ線断面図である。
【図１２】戸パネルが閉じ位置へ接近した状態の縦断正面図である。
【符号の説明】
【００４１】
２  上ガイドレール
４  戸パネル
５  戸パネル
７  振止めランナー
２２  ハウジング
２３  ローラー枠
２５  ローラー
２６  ローラーばね
２８  本体部
３０  捕捉座
４８  ラッチケース
４９  ラッチ
５０  ラッチばね
７３  キャッチ穴
【図１】
2010084380.tif 000003
【図２】
2010084380.tif 000004
【図３】
2010084380.tif 000005
【図４】
2010084380.tif 000006
【図５】
2010084380.tif 000007
【図６】
2010084380.tif 000008
【図７】
2010084380.tif 000009
【図８】
2010084380.tif 000010
【図９】
2010084380.tif 000011
【図１０】
2010084380.tif 000012
【図１１】
2010084380.tif 000013
【図１２】
2010084380.tif 000014